(57)【要約】【課題】引張り時における圧着端子の保持力を向上させることができるコネクタ及びその組立方法を得る。【解決手段】端子収容部５２は、圧着端子１６の外周部に対して上下左右のうちの上方側を除く三方向で対面すると共に上方側が開放されている。また、圧着端子１６において撓み変形可能に形成されたランス３６が端子収容部５２の係止孔５２Ｈに入込むことで圧着端子１６が後側から前側へ移動するのを規制する。一方、端子収容部５２には第一爪部５６及び第二爪部５８がそれぞれ一体に形成されており、第一爪部５６は、端子接続部３０が端子収容部５２の開放側へ移動するのを規制し、Ｌ字状の第二爪部５８は、圧着部３４が端子収容部５２の開放側へ及び端子接続部３０の側とは反対側へそれぞれ移動するのを規制する。【選択図】図５
2019220320.tif 000002
【特許請求の範囲】
【請求項１】
長尺状に形成され、長手方向一方側に相手端子と接続される端子接続部を備えると共に、長手方向他方側の端部において電線の先端側の少なくとも導体に圧着された圧着部を備える圧着端子と、
前記圧着端子が収容される端子収容部を備え、前記端子収容部は前記圧着端子の外周部に対して上下左右のうちの三方向で対面すると共に他の一方向の側が開放されているハウジングと、
前記圧着端子が前記長手方向他方側から前記長手方向一方側に向かう方向へ移動するのを規制する規制手段と、
前記端子収容部に一体に形成されて前記端子接続部が前記端子収容部の開放側へ移動するのを規制する第一爪部と、
前記端子収容部に一体に形成されて前記圧着部が前記端子収容部の開放側へ及び前記端子接続部の側とは反対側へそれぞれ移動するのを規制するＬ字状の第二爪部と、
を有するコネクタ。
【請求項２】
前記電線は、導体の芯線と、前記芯線を覆う絶縁性の被覆部と、を備えると共に、先端側に前記芯線が露出した芯線露出部を有し、前記圧着部は、前記芯線露出部の基端部よりも先端側の部位に圧着され、前記圧着端子の前記長手方向他方側の端面と前記電線の前記被覆部の先端面との間に前記第二爪部の一部が配置されている、請求項１に記載のコネクタ。
【請求項３】
前記端子収容部は、前記ハウジングの上下方向の一方側に開放され、
前記第一爪部及び前記第二爪部のそれぞれは、前記端子収容部における左右方向の両側に一対で設けられ、左右一対の前記第一爪部の間及び左右一対の前記第二爪部の間は、それぞれ前記芯線露出部の径よりも大きい寸法に設定されている、請求項２に記載のコネクタ。
【請求項４】
前記第一爪部は、前記端子収容部の開放側から見て前記端子接続部の先端側の部位を覆う位置に設定されている、請求項１〜請求項３のいずれか１項に記載のコネクタ。
【請求項５】
請求項３に記載のコネクタを組立てるための方法であって、
前記圧着端子の前記圧着部が前記芯線露出部の基端部よりも先端側の部位に圧着された状態で、前記電線の前記被覆部の先端部を構成する被覆先端部を前記端子収容部の開放側から見て前記第一爪部と前記第二爪部との間に配置し、前記芯線露出部の基端部を、左右一対の前記第一爪部の間から前記端子収容部に入れる第一工程と、
前記第一工程の後、前記被覆先端部が前記第二爪部を乗り越えるように前記電線を引張ることで、前記圧着端子を、前記端子収容部の内側において左右一対の前記第一爪部をくぐるように移動させ、前記芯線露出部の基端部を左右一対の前記第二爪部の間から前記端子収容部に入れる第二工程と、
前記第二工程の後、前記端子収容部の開放側から見て前記被覆先端部が前記第二爪部から離間するように前記電線を引張ることで、前記圧着端子の前記圧着部の一部を前記第二爪部の一辺側に覆われる位置に配置して前記圧着端子の前記長手方向他方側の端面を前記第二爪部の他辺側に当接させると共に、前記圧着端子の前記端子接続部の一部を前記第一爪部に覆われる位置に配置する第三工程と、
を有するコネクタの組立方法。
【発明の詳細な説明】
【技術分野】
【０００１】
本発明は、コネクタ及びその組立方法に関する。
【背景技術】
【０００２】
ハウジングに圧着端子を取付けて構成されたコネクタが知られている（例えば特許文献１参照）。ところで、ハウジングへの圧着端子の取付構造としては、圧着端子に設けた撓み変形可能なランスをハウジングに設けた係止部に係止させる構造やハウジングに設けた撓み変形可能なランスを圧着端子側に設けた係止部に係止させる構造が知られている。そして、これらの取付構造においては、上述のランスを用いた係止に加えて、ハウジングに対してリテーナをスライドによって正規位置に組付けて圧着端子の引張り方向（相手方コネクタ側とは反対側）への抜けを規制する場合がある。
【先行技術文献】
【特許文献】
【０００３】
【特許文献１】特開２０００−６７９４２号公報
【発明の概要】
【発明が解決しようとする課題】
【０００４】
しかしながら、上記技術では、例えば、コネクタが相手方コネクタとの接離時等に圧着端子が電線と共に引張られた場合、ハウジングに対する圧着端子の姿勢が変化してしまうとリテーナが外れてランスが変形することでハウジングから圧着端子が抜けてしまう可能性が考えられる。したがって、上記技術では、この点で改善の余地がある。
【０００５】
本発明は、上記事実を考慮して、引張り時における圧着端子の保持力を向上させることができるコネクタ及びその組立方法を得ることが目的である。
【課題を解決するための手段】
【０００６】
請求項１に記載する本発明のコネクタは、長尺状に形成され、長手方向一方側に相手端子と接続される端子接続部を備えると共に、長手方向他方側の端部において電線の先端側の少なくとも導体に圧着された圧着部を備える圧着端子と、前記圧着端子が収容される端子収容部を備え、前記端子収容部は前記圧着端子の外周部に対して上下左右のうちの三方向で対面すると共に他の一方向の側が開放されているハウジングと、前記圧着端子が前記長手方向他方側から前記長手方向一方側に向かう方向へ移動するのを規制する規制手段と、前記端子収容部に一体に形成されて前記端子接続部が前記端子収容部の開放側へ移動するのを規制する第一爪部と、前記端子収容部に一体に形成されて前記圧着部が前記端子収容部の開放側へ及び前記端子接続部の側とは反対側へそれぞれ移動するのを規制するＬ字状の第二爪部と、を有する。
【０００７】
請求項１に記載する本発明のコネクタによれば、長尺状の圧着端子においては、長手方向一方側の端子接続部が相手端子と接続され、長手方向他方側の端部を構成する圧着部が電線の先端側の少なくとも導体に圧着されている。圧着端子は、ハウジングにおける端子収容部に収容されており、端子収容部は圧着端子の外周部に対して上下左右のうちの三方向で対面すると共に他の一方向の側が開放されている。したがって、圧着端子は、上下左右のうちの前記三方向への移動が端子収容部によって規制される。また、圧着端子は、前記長手方向他方側から前記長手方向一方側に向かう方向へ移動するのを規制手段によって規制される。一方、端子収容部には、第一爪部及び第二爪部がそれぞれ一体に形成されており、第一爪部は、端子接続部が端子収容部の開放側へ移動するのを規制し、第二爪部は、Ｌ字状とされて圧着部が端子収容部の開放側へ及び端子接続部の側とは反対側へそれぞれ移動するのを規制する。そして、圧着端子が電線の側に引張られても、第一爪部及び第二爪部は外れないので、端子収容部に対する圧着端子の姿勢の変化が効果的に抑制され、端子収容部からの圧着端子の抜けが防止される。
【０００８】
請求項２に記載する本発明のコネクタは、請求項１に記載の構成において、前記電線は、導体の芯線と、前記芯線を覆う絶縁性の被覆部と、を備えると共に、先端側に前記芯線が露出した芯線露出部を有し、前記圧着部は、前記芯線露出部の基端部よりも先端側の部位に圧着され、前記圧着端子の前記長手方向他方側の端面と前記電線の前記被覆部の先端面との間に前記第二爪部の一部が配置されている。
【０００９】
請求項２に記載する本発明のコネクタによれば、圧着部を小型化しながら（ひいては、コネクタを小型化しながら）、圧着端子が電線の側に引張られた場合の圧着端子の抜けを防止することができる。
【００１０】
請求項３に記載する本発明のコネクタは、請求項２に記載の構成において、前記端子収容部は、前記ハウジングの上下方向の一方側に開放され、前記第一爪部及び前記第二爪部のそれぞれは、前記端子収容部における左右方向の両側に一対で設けられ、左右一対の前記第一爪部の間及び左右一対の前記第二爪部の間は、それぞれ前記芯線露出部の径よりも大きい寸法に設定されている。
【００１１】
請求項３に記載する本発明のコネクタによれば、端子収容部の対向側で左右一対の第一爪部の間に対応する位置から芯線露出部を端子収容部の側へ変位させることで、左右一対の第一爪部の間から端子収容部の中に芯線露出部を入れることができる。同様に、端子収容部の対向側で左右一対の第二爪部の間に対応する位置から芯線露出部を端子収容部の側へ変位させることで、左右一対の第二爪部の間から端子収容部の中に芯線露出部を入れることができる。したがって、組付性が良い。
【００１２】
請求項４に記載する本発明のコネクタは、請求項１〜請求項３のいずれか１項に記載の構成において、前記第一爪部は、前記端子収容部の開放側から見て前記端子接続部の先端側の部位を覆う位置に設定されている。
【００１３】
請求項４に記載する本発明のコネクタによれば、第一爪部は、端子収容部の開放側から見て端子接続部の先端側の部位を覆う位置に設定されているので、圧着端子の長手方向両側の部分が第一爪部及び第二爪部によって端子収容部の開放側への移動が規制される。よって、端子収容部に対する圧着端子の姿勢の変化が一層効果的に抑制される。
【００１４】
請求項５に記載する本発明のコネクタの組立方法は、請求項３に記載のコネクタを組立てるための方法であって、前記圧着端子の前記圧着部が前記芯線露出部の基端部よりも先端側の部位に圧着された状態で、前記電線の前記被覆部の先端部を構成する被覆先端部を前記端子収容部の開放側から見て前記第一爪部と前記第二爪部との間に配置し、前記芯線露出部の基端部を、左右一対の前記第一爪部の間から前記端子収容部に入れる第一工程と、前記第一工程の後、前記被覆先端部が前記第二爪部を乗り越えるように前記電線を引張ることで、前記圧着端子を、前記端子収容部の内側において左右一対の前記第一爪部をくぐるように移動させ、前記芯線露出部の基端部を左右一対の前記第二爪部の間から前記端子収容部に入れる第二工程と、前記第二工程の後、前記端子収容部の開放側から見て前記被覆先端部が前記第二爪部から離間するように前記電線を引張ることで、前記圧着端子の前記圧着部の一部を前記第二爪部の一辺側に覆われる位置に配置して前記圧着端子の前記長手方向他方側の端面を前記第二爪部の他辺側に当接させると共に、前記圧着端子の前記端子接続部の一部を前記第一爪部に覆われる位置に配置する第三工程と、を有する。
【００１５】
請求項５に記載する本発明のコネクタの組立方法によれば、第一工程では、圧着端子の圧着部が芯線露出部の基端部よりも先端側の部位に圧着された状態で、電線の被覆部の先端部を構成する被覆先端部を端子収容部の開放側から見て第一爪部と第二爪部との間に配置し、芯線露出部の基端部を、左右一対の第一爪部の間から端子収容部に入れる。第一工程の後の第二工程では、被覆先端部が第二爪部を乗り越えるように電線を引張ることで、圧着端子を、端子収容部の内側において左右一対の第一爪部をくぐるように移動させ、芯線露出部の基端部を左右一対の第二爪部の間から前記端子収容部に入れる。第二工程の後の第三工程では、端子収容部の開放側から見て被覆先端部が第二爪部から離間するように電線を引張ることで、圧着端子の圧着部の一部を第二爪部の一辺側に覆われる位置に配置して圧着端子の前記長手方向他方側の端面を第二爪部の他辺側に当接させると共に、圧着端子の端子接続部の一部を第一爪部に覆われる位置に配置する。以上により、電線を押込まずに電線を引張る作業等によって圧着端子をハウジングに組付けることができるので、芯線の座屈を基本的に防止することができる。
【発明の効果】
【００１６】
以上説明したように、本発明によれば、引張り時における圧着端子の保持力を向上させることができるという優れた効果を有する。
【図面の簡単な説明】
【００１７】
【図１】本発明の一実施形態に係るコネクタを示す斜視図である。
【図２】図１のコネクタを分解した状態で示す分解斜視図である。
【図３】電線が圧着された圧着端子及び下側のハウジングを示す分解斜視図である。
【図４】図３を４−４線に沿って切断した状態で拡大して示す半断面の分解斜視図である。
【図５】コネクタの組立方法を説明するための側断面図である。図５（Ａ）は第一工程の前半を示す。図５（Ｂ）は第一工程の後半を示す。図５（Ｃ）は第二工程を示す。図５（Ｄ）は第三工程（圧着端子をハウジングへ仮アッシーした状態）を示す。
【図６】コネクタの組立方法を説明するための平面図である。図６（Ａ）は圧着端子が配置される前の状態の下型のハウジングの一部を示す。図６（Ｂ）は第一工程を示す。図６（Ｃ）は第二工程を示す。
【発明を実施するための形態】
【００１８】
本発明の一実施形態に係るコネクタ及びその組立方法について、図１〜図６に基づいて説明する。なお、便宜上、以下の説明では、各図に適宜矢印Ａにて示す方向を前側、矢印Ａと直交する矢印Ｂ、矢印Ｃにて示す方向をそれぞれ上側、右側ということとする。
【００１９】
図１には、本実施形態に係るコネクタ１０が斜視図で示され、図２には、コネクタ１０の分解斜視図が示されている。これらの図に示されるように、コネクタ１０は、上側のハウジング１２及び下側のハウジング１４を備えている。上側のハウジング１２及び下側のハウジング１４には、それぞれ複数の圧着端子１６（図２参照）が組み付けられている。また、上側のハウジング１２と下側のハウジング１４とは、ホルダ１８によって連結されている。
【００２０】
図２に示されるように、ホルダ１８は、上側のハウジング１２と下側のハウジング１４とを仕切る仕切部２０を備えている。この仕切部２０は、上側のハウジング１２の下側及び下側のハウジング１４の上側をそれぞれ覆うカバーとしての機能も有している。仕切部２０の上面側には、複数の係止爪２２が形成されており、これらの係止爪２２は、上側のハウジング１２に形成された被係止部１２Ａに係止される。仕切部２０の下面側には、複数の係止爪２４が形成されており、これらの係止爪２４は、下側のハウジング１４に形成された被係止部１４Ａに係止される。また、仕切部２０の前端部からは縦壁部２６が上下に張出している。縦壁部２６は、ホルダ１８の左右方向の全長に亘って延在している。この縦壁部２６には、図示しない相手端子が差込まれる差込口２８（図１参照）が貫通形成されている。すなわち、本実施形態では、コネクタ１０が雌型コネクタとされている。
【００２１】
図３には、圧着端子１６及び下側のハウジング１４が分解斜視図で示され、図４には、図３を４−４線に沿って切断して拡大した状態の半断面の分解斜視図が示されている。これらの図に示されるように、圧着端子１６は、長尺状に形成され、長手方向一方側に相手端子（図示省略）と接続される端子接続部３０を備えると共に、長手方向他方側の端部において電線４０の先端側の導体（後述する芯線露出部４６）に圧着された圧着部３４を備えている。端子接続部３０と圧着部３４とは、繋ぎ部３２によって繋がれている。端子接続部３０は、相手端子を受入可能な角筒状に形成されている。一方、圧着部３４が圧着された電線４０は、導体の芯線４２と、芯線４２を覆う絶縁性の被覆部４４と、を備えており、電線４０の先端側に芯線４２が露出した芯線露出部４６を有している。そして、圧着部３４は、底壁から立ち上がる左右一対のバレル部３４Ｂを備え、芯線露出部４６の基端部４６Ａよりも先端側の部位にかしめにより圧着されている。これにより、圧着端子１６と電線４０とが電気的に接続されている。
【００２２】
図３に示されるように、下側のハウジング１４は、圧着端子１６及びそれに連続する電線４０の一部を収容する収容部５０を備えている。収容部５０は、下側のハウジング１４の前後方向に沿って延在すると共に下側のハウジング１４の左右方向に並んで複数設けられている。収容部５０は、圧着端子１６が収容される複数の端子収容部５２を備えると共に、電線４０の先端側が収容される複数の電線先端側収容部５４を備えている。なお、図２に示される上側のハウジング１２にも、下側のハウジング１４の収容部５０と同様の収容部５１が複数設けられている。
【００２３】
図３及び図４に示されるように、端子収容部５２及び電線先端側収容部５４は、いずれも下側のハウジング１４の前後方向に沿って延在している。電線先端側収容部５４は全体としては凹溝状に形成され、その前端溝底側には芯線露出部４６の基端部４６Ａが着座する台座部５４Ｐ（図４参照）が形成されている。端子収容部５２は、ハウジング１４の上下方向における上方側に開放されて正面視で略Ｕ字状の内面を有している。言い換えれば、端子収容部５２は、圧着端子１６の外周部に対して上下左右のうちの上方側を除く三方向で対面している（図５（Ｄ）及び図６（Ｃ）参照）。なお、図２に示される上側のハウジング１２の収容部５１における端子収容部（図示省略）は、ハウジング１４の上下方向における下方側に開放されている。
【００２４】
図３及び図４に示されるように、端子収容部５２は、圧着端子１６の底面に対面する底壁部５２Ａ（図４参照）を備えると共に、圧着端子１６の両側面に対面する一対の対向壁部５２Ｂ（図３参照）を備えている。また、図４、及び図５（Ｄ）の側断面図に示されるように、端子収容部５２の底壁部５２Ａには、圧着端子１６の端子接続部３０が配置される部位に規制手段としての係止孔５２Ｈが貫通形成されている。係止孔５２Ｈには、圧着端子１６の端子接続部３０の底壁に形成された規制手段としてのランス３６（図５（Ｄ）参照）が係止可能とされる。
【００２５】
図５（Ｄ）に示されるように、ランス３６は、撓み変形可能に形成されており、端子接続部３０の底壁に片持ち支持されて延出し、圧着部３４の側とは反対側へ向けて端子接続部３０の下方側に傾斜している。このランス３６は、端子収容部５２の底壁部５２Ａに押付けられた状態では弾性変形し、圧着端子１６が端子収容部５２の正規位置に収容されると自由状態に弾性復帰して端子収容部５２の係止孔５２Ｈに入込むようになっている。そして、圧着端子１６が端子収容部５２に収容された状態でランス３６が端子収容部５２の係止孔５２Ｈに係止されることで、圧着端子１６が後側（圧着端子１６の長手方向他方側）から前側（圧着端子１６の長手方向一方側）に向かう方向へ移動するのを規制するようになっている。なお、図１に示されるホルダ１８の縦壁部２６も図５（Ｄ）に示される圧着端子１６が後側（圧着端子１６の長手方向他方側）から前側（圧着端子１６の長手方向一方側）に向かう方向へ移動するのを規制する規制手段を構成している。
【００２６】
一方、図３及び図４に示されるように、端子収容部５２の一対の対向壁部５２Ｂには、端子接続部３０が配置される側に左右一対の第一爪部５６が一体に形成されると共に、圧着部３４が配置される側に左右一対の第二爪部５８が一体に形成されている。
【００２７】
第一爪部５６は、端子収容部５２の開放側から見て端子接続部３０の先端側の部位を覆う位置に設定される（図５（Ｄ）参照）と共に、収容部５０の長手方向の一方の端部の側に設定されている。図３に示されるように、第一爪部５６は、端子収容部５２における左右方向の両側に一対で設けられている。左右一対の第一爪部５６は、対向壁部５２Ｂの上端部に連続して形成され、互いに接近する側に突出すると共に端子収容部５２の長手方向に沿って短く延びている。図６（Ｂ）（組付け途中の平面図）に示されるように、左右一対の第一爪部５６の間は、芯線露出部４６の径よりも大きい寸法に設定されている。また、図６（Ｃ）（組付け途中の状態の平面図）に示されるように、左右一対の第一爪部５６の間は、端子接続部３０の径よりも小さい寸法に設定されている。これにより、左右一対の第一爪部５６は、端子接続部３０が端子収容部５２の開放側へ移動するのを規制するようになっている。
【００２８】
図３及び図４に示されるように、第二爪部５８は、端子収容部５２において第一爪部５６の側とは反対側の端部に設定されると共に、収容部５０の長手方向中間部に設定されている。第二爪部５８は、端子収容部５２における左右方向の両側に一対で設けられている。左右一対の第二爪部５８は、対向壁部５２Ｂに設けられ、互いに接近する側に突出すると共に側面視でＬ字状に形成されて上壁部５８Ａ及び縦壁部５８Ｂ（いずれも図４参照）を備えている。
【００２９】
図６（Ｃ）に示されるように、左右一対の第二爪部５８の間は、芯線露出部４６の径よりも大きい寸法に設定されている。また、左右一対の第二爪部５８の間は、圧着部３４の径よりも小さい寸法に設定されている。そして、図５（Ｄ）に示されるように、第二爪部５８の上壁部５８Ａは、圧着端子１６の後側（長手方向他方側）の端部を覆い、第二爪部５８の縦壁部５８Ｂは、圧着端子１６の後側（長手方向他方側）の端面に対面している。また、本実施形態では、圧着端子１６の後側（長手方向他方側）の端面３４Ｒと電線４０の被覆部４４の先端面４４Ｔとの間に第二爪部５８の縦壁部５８Ｂの大部分が配置されている。以上によって、左右一対の第二爪部５８は、圧着部３４が端子収容部５２の開放側へ及び端子接続部３０の側とは反対側へそれぞれ移動するのを規制するようになっている。
【００３０】
次に、上述したコネクタ１０を組立てるための方法について、図５及び図６等を参照しながら説明する。なお、図６（Ａ）は圧着端子１６（図４等参照）が配置される前の状態のハウジング１４の一部を示している。
【００３１】
まず、第一工程では、図５（Ａ）及び図６（Ｂ）に示されるように、圧着端子１６の圧着部３４が芯線露出部４６の基端部４６Ａよりも先端側の部位に圧着された状態で、電線４０の被覆部４４の先端部を構成する被覆先端部４４Ａを端子収容部５２の開放側から見て第一爪部５６と第二爪部５８との間に配置し、図５（Ｂ）に示されるように、芯線露出部４６の基端部４６Ａを、左右一対の第一爪部５６の間から端子収容部５２に入れる。
【００３２】
第一工程の後の第二工程では、図５（Ｃ）に示されるように、被覆先端部４４Ａが第二爪部５８を乗り越えるように電線４０を引張ることで、圧着端子１６を、端子収容部５２の内側において左右一対の第一爪部５６をくぐるように（第一爪部５６でガイドしながら）移動させ、図６（Ｃ）に示されるように、芯線露出部４６の基端部４６Ａを左右一対の第二爪部５８の間から端子収容部５２に入れる。
【００３３】
第二工程の後の第三工程では、端子収容部５２の開放側から見て被覆先端部４４Ａが第二爪部５８から離間するように電線４０を引張ることで、図５（Ｄ）に示されるように、圧着端子１６の圧着部３４の一部を第二爪部５８の上壁部５８Ａ（一辺側）に覆われる位置に配置して圧着端子１６の後側（長手方向他方側）の端面３４Ｒを第二爪部５８の縦壁部５８Ｂ（他辺側）に当接させると共に、圧着端子１６の端子接続部３０の一部を第一爪部５６に覆われる位置に配置し、更に、ランス３６をハウジング１４の係止孔５２Ｈに入込ませてランス３６の先端側を係止孔５２Ｈの壁面に対面させる。
【００３４】
上記の第一工程〜第三工程はハウジング１４のすべての端子収容部５２において実行される。また、上記においては、図２に示される下側のハウジング１４に対する圧着端子１６の組付けについて説明したが、上側のハウジング１２に対しても実質的に同様に圧着端子１６が組付けられる。そして、圧着端子１６がそれぞれ組付けられた上側のハウジング１２と下側のハウジング１４とをホルダ１８によって連結することで、図１に示されるコネクタ１０が完成する。
【００３５】
以上説明した図５及び図６等に示されるコネクタ１０の組立方法（圧着端子１６をハウジング１４へ仮アッシーするための複数工程を含む方法）では、電線４０を押込む作業はなく、電線４０を引張る作業等で圧着端子１６をハウジング１４に組付けること（装着させること）ができる。ここで、対比例として、例えば、電線をハウジング内に押込んで挿入する作業が必要なコネクタの組立方法では、ランスの付勢力によって電線が抵抗力を受けて芯線が座屈する可能性があるが、本実施形態では、電線４０を押込んで挿入する作業が不要となるので、そのような不具合を回避することができる。補足説明すると、コネクタの小型化に伴って芯線の径も小さくなっていくと、芯線の座屈が懸念されるが、本実施形態では、そのような座屈を基本的に防止することができ、コネクタ組立時の作業性を向上させることができる。
【００３６】
次に、上記実施形態の作用及び効果について説明する。
【００３７】
圧着端子１６は、ハウジング１４における端子収容部５２に収容されており、端子収容部５２は、圧着端子１６の外周部に対して上下左右のうちの上方側を除く三方向で対面すると共に上方側が開放されている。したがって、圧着端子１６は、上下左右のうちの上方側を除く三方向への移動が端子収容部５２によって規制される。また、圧着端子１６に設けられたランス３６が端子収容部５２の係止孔５２Ｈに係止することで圧着端子１６が後側から前側に向かう方向へ移動するのが規制される。一方、端子収容部５２には、第一爪部５６及び第二爪部５８がそれぞれ一体に形成されており、第一爪部５６は、端子接続部３０が端子収容部５２の開放側へ移動するのを規制し、第二爪部５８は、Ｌ字状とされて圧着部３４が端子収容部５２の開放側へ及び端子接続部３０の側とは反対側へそれぞれ移動するのを規制する。そして、圧着端子１６が電線４０の側に引張られても、第一爪部５６及び第二爪部５８は外れないので、端子収容部５２に対する圧着端子１６の姿勢の変化が効果的に抑制され、端子収容部５２からの圧着端子１６の抜けが防止される。
【００３８】
また、本実施形態では、圧着部３４は、芯線露出部４６の基端部４６Ａよりも先端側の部位に圧着され、圧着端子１６の後側の端面３４Ｒと電線４０の被覆部４４の先端面４４Ｔとの間に第二爪部５８の縦壁部５８Ｂの大部分が配置されている。このため、圧着部３４を小型化しながら（ひいては、コネクタ１０を小型化しながら）、圧着端子１６が電線４０の側に引張られた場合の圧着端子１６の抜けを防止することができる。
【００３９】
以上説明したように、本実施形態によれば、引張り時における圧着端子１６の保持力を向上させることができる。
【００４０】
また、図６（Ｂ）及び図６（Ｃ）に示されるように、左右一対の第一爪部５６の間及び左右一対の第二爪部５８の間は、それぞれ芯線露出部４６の径よりも大きい寸法に設定されている。このため、図６（Ｂ）に示されるように、端子収容部５２の対向側で左右一対の第一爪部５６の間に対応する位置から芯線露出部４６を端子収容部５２の側へ変位させることで、左右一対の第一爪部５６の間から端子収容部５２の中に芯線露出部４６を入れることができる。同様に、図６（Ｃ）に示されるように、端子収容部５２の対向側で左右一対の第二爪部５８の間に対応する位置から芯線露出部４６を端子収容部５２の側へ変位させることで、左右一対の第二爪部５８の間から端子収容部５２の中に芯線露出部４６を入れることができる。したがって、組付性が良い。
【００４１】
また、第一爪部５６は、端子収容部５２の開放側から見て端子接続部３０の先端側の部位を覆う位置に設定されている。このため、図５（Ｄ）に示されるように、圧着端子１６の長手方向両側の部分が第一爪部５６及び第二爪部５８によって端子収容部５２の開放側への移動が規制される。よって、端子収容部５２に対する圧着端子１６の姿勢の変化が一層効果的に抑制される。
【００４２】
なお、上記実施形態では、図１に示されるコネクタ１０が雌型コネクタとされているが、本発明におけるコネクタは、雄型コネクタに適用されてもよい。
【００４３】
また、上記実施形態では、図５（Ｄ）等に示される圧着部３４は、芯線露出部４６の基端部４６Ａよりも先端側の部位に圧着されているが、圧着部（３４）が芯線露出部（４６）の全部を含む電線（４０）の先端側に圧着されているような構成も採り得る。
【００４４】
また、上記実施形態では、図３に示される端子収容部５２は、ハウジング１４の上下方向における上方側に開放され、図２に示される上側のハウジング１２の収容部５１における端子収容部（図示省略）は、ハウジング１４の上下方向における下方側に開放されており、組付性の観点からこれらの構成が好ましいが、例えば端子収容部の側方側に組付作業スペースが確保できる構成では、端子収容部がハウジングの左右方向の一方側に開放されているような構成も採り得る。
【００４５】
また、上記実施形態では、図５（Ｄ）等に示される第一爪部５６は、端子収容部５２の開放側から見て端子接続部３０の先端側の部位を覆う位置に設定されており、このような構成が好ましいが、上記実施形態の変形例として、第一爪部は、端子収容部５２の開放側から見て端子接続部３０の長手方向中央部や基端側の部位を覆う位置に設定されてもよい。
【００４６】
また、上記実施形態の変形例として、上記実施形態の係止孔５２Ｈに代えて、ランス３６が係止可能な段差部が形成されてもよい。また、上記実施形態の他の変形例として、上記実施形態の係止孔５２Ｈに代えて圧着端子（１６）に係止部が形成されると共に上記実施形態のランス３６に代えて端子収容部（５２）に撓み変形可能に形成されて前記係止部に係止されることで圧着端子（１６）が後側（圧着端子１６の長手方向他方側）から前側（圧着端子１６の長手方向一方側）に向かう方向へ移動するのを規制するランスが設けられる構成としてもよい。この場合、コネクタ（１０）の組立方法における第三工程では、ランス（３６）を端子収容部（５２）の係止孔（５２Ｈ）に入込ませるのに代えて、端子収容部（５２）に形成された前記ランスの先端側を圧着端子（１６）に形成された前記係止部に対して対面させることになる。
【００４７】
また、上記実施形態では、規制手段がランス３６及び係止孔５２Ｈを含んで構成されているが、圧着端子が後側（圧着端子１６の長手方向他方側）から前側（圧着端子１６の長手方向一方側）に向かう方向へ移動するのを規制する規制手段は、ランス及び係止孔を含まないで他の係止手段や嵌合手段等を含んで構成されてもよい。
【００４８】
なお、上記実施形態及び上述の変形例は、適宜組み合わされて実施可能である。
【００４９】
以上、本発明の一例について説明したが、本発明は、上記に限定されるものでなく、上記以外にも、その主旨を逸脱しない範囲内において種々変形して実施可能であることは勿論である。
【符号の説明】
【００５０】
１０・・・コネクタ、１２、１４・・・ハウジング、１６・・・圧着端子、２６・・・縦壁部（規制手段）、３０・・・端子接続部、３４・・・圧着部、３４Ｒ・・・圧着端子の後側（長手方向他方側）の端面、３６・・・ランス（規制手段）、４０・・・電線、４２・・・芯線、４４・・・被覆部、４４Ａ・・・被覆先端部、４４Ｔ・・・被覆部の先端面、４６・・・芯線露出部、４６Ａ・・・芯線露出部の基端部、５２・・・端子収容部、５２Ｈ・・・係止孔（規制手段）、５６・・・第一爪部、５８・・・第二爪部、５８Ａ・・・第二爪部の上壁部（第二爪部の一辺側）、５８Ｂ・・・第二爪部の縦壁部（第二爪部の他辺側）
【図１】
2019220320.tif 000003
【図２】
2019220320.tif 000004
【図３】
2019220320.tif 000005
【図４】
2019220320.tif 000006
【図５】
2019220320.tif 000007
【図６】
2019220320.tif 000008